(57)【要約】【課題】  着脱可能で低コストな光ファイバ接続部材及び光ファイバ接続方法を提供すること。【解決手段】  光ファイバ接続部材１０Ａ，１０Ｂは、光ファイバの一部を覆って保護するハウジング１１と、ハウジング１１内に固定されたフェルール１２と、光ファイバをフェルール１２の後方でハウジング１１に固定するための固定部材１３とを有している。ハウジング１１は、フェルール１２と固定部材１３との間に、空間２１が設けられるようになっている。フェルール１２は、軸方向に沿って中央に形成され光ファイバが挿通される挿通孔１７を有し、挿通された光ファイバを挿通方向にスライド可能な状態で保持する。光ファイバは、先端部分がフェルール１２の前端面から突出した状態にフェルール１２の挿通孔１７に挿通される。【選択図】  図２
2005115285.tif 000002
【特許請求の範囲】
【請求項１】
光ファイバと他の光ファイバとを突き合わせて接続するための光ファイバ接続部材であって、
前記光ファイバが挿通される挿通孔を有し、前記挿通孔に挿通された前記光ファイバを挿通方向にスライド可能な状態で保持するフェルールと、
前記フェルールに固定され、前記挿通孔に挿通された前記光ファイバの一部を覆うハウジングと、
前記フェルールの前端面から突出するように前記挿通孔に挿通された前記光ファイバを、前記フェルールの後方で前記ハウジングに固定する固定部材と、を備えることを特徴とする光ファイバ接続部材。
【請求項２】
前記ハウジングは、前記固定部材により前記光ファイバを前記ハウジングに固定した状態において、前記フェルールと前記固定部材との間に、前記光ファイバを撓ませるための空間を有していることを特徴とする請求項１記載の光ファイバ接続部材。
【請求項３】
前記固定部材は、前記光ファイバを外被材で被覆してなる光ファイバケーブルを固定することを特徴とする請求項１または２記載の光ファイバ接続部材。
【請求項４】
前記光ファイバと前記外被材とは接着されていることを特徴とする請求項３記載の光ファイバ接続部材。
【請求項５】
前記フェルールには、前記他の光ファイバを保持するフェルールが挿入される光ファイバ中心位置決め用のスリーブが備えられていることを特徴とする請求項１〜４のいずれか一項記載の光ファイバ接続部材。
【請求項６】
前記フェルールは、前記他の光ファイバを保持するフェルールに設けられたガイドピンまたはガイド孔に係合するガイド孔またはガイドピンを有していることを特徴とする請求項１〜４のいずれか一項記載の光ファイバ接続部材。
【請求項７】
前記ハウジングには、前記他の光ファイバを保持するフェルールに固定されたハウジングと係止するための係止手段が設けられていることを特徴とする請求項１〜６のいずれか一項記載の光ファイバ接続部材。
【請求項８】
前記ハウジングには、前記他の光ファイバを保持するフェルールに固定されたハウジングとネジ止めにより連結可能な構造を有していることを特徴とする請求項１〜６のいずれか一項記載の光ファイバ接続部材。
【請求項９】
光ファイバと、
前記光ファイバが挿通される挿通孔を有し、前記挿通孔に挿通された前記光ファイバを挿通方向にスライド可能な状態で保持するフェルールと、
前記フェルールに固定され、前記挿通孔に挿通された前記光ファイバの一部を覆うハウジングと、
前記フェルールの前端面から突出するように前記挿通孔に挿通された前記光ファイバを、前記フェルールの後方で前記ハウジングに固定する固定部材とを備える光ファイバ接続部材。
【請求項１０】
前記フェルールの前端面から突出した前記光ファイバの先端部分の長さは、５ｍｍ以下であることを特徴とする請求項９記載の光ファイバ接続部材。
【請求項１１】
請求項１〜８のいずれか一項に記載の光ファイバ接続部材を用意し、前記光ファイバを、前記フェルールの前端面から突出するように前記フェルールの前記挿通孔に挿通するステップと、
前記光ファイバを、前記フェルールの後方で前記固定部材により前記ハウジングに固定するステップと、
前記光ファイバ及び前記他の光ファイバの先端面同士を突き当てるステップと、
前記光ファイバ及び前記他の光ファイバの先端面同士を突き当てた状態で、前記光ファイバを保持するフェルール及び前記他の光ファイバを保持するフェルールの端面同士を当接させるステップと、を含むことを特徴とする光ファイバ接続方法。
【請求項１２】
前記光ファイバ及び前記他の光ファイバの先端同士を、屈折率整合剤を介して突き当てることを特徴とする請求項１１記載の光ファイバ接続方法。
【発明の詳細な説明】
【技術分野】
【０００１】
本発明は、光ファイバ同士を接続するための光ファイバ接続部材及び光ファイバ接続方法に関する。
【背景技術】
【０００２】
保守作業等の現場での光ファイバ接続方法の一つとして、コネクタを用いる方法がある。しかし、コネクタは構成部品が多く、その分高価である。他方、低コストな光ファイバ接続部材としては、メカニカルスプライスがある。その従来技術としては、例えば下記特許文献１に記載されているように、二つ割り構造を構成するベース及び蓋体と、これらのベースと蓋体とを内挿して互いに圧接させる圧接力を付与するＣ型バネとを備えたものが知られている。
【特許文献１】特開平９−６１６５５号公報
【発明の開示】
【発明が解決しようとする課題】
【０００３】
しかしながら、上記従来技術のようなメカニカルスプライスは、着脱可能な構造でないため、使用しずらいという問題がある。
【０００４】
本発明は、上記従来技術が有する問題に鑑みてなされたものであり、着脱可能で低コストな光ファイバ接続部材及び光ファイバ接続方法を提供することを目的とする。
【課題を解決するための手段】
【０００５】
本発明は、光ファイバと他の光ファイバとを突き合わせて接続するための光ファイバ接続部材であって、光ファイバが挿通される挿通孔を有し、挿通孔に挿通された光ファイバを挿通方向にスライド可能な状態で保持するフェルールと、フェルールに固定され、挿通孔に挿通された光ファイバの一部を覆うハウジングと、フェルールの前端面から突出するように挿通孔に挿通された光ファイバを、フェルールの後方でハウジングに固定する固定部材と、を備えることを特徴とするものである。
【０００６】
このような光ファイバ接続部材を用いて光ファイバと他の光ファイバとを突き合わせて接続する場合は、まず光ファイバを、フェルールの前端面から突出するようにフェルールの挿通孔に挿通させる。次に、光ファイバをフェルールの後方で固定部材によってハウジングに固定する。続いて、該固定した光ファイバ及び接続対象である他の光ファイバの先端面同士を突き当てる。そして、その状態で、光ファイバを保持するフェルール及び他の光ファイバを保持するフェルールの端面同士を接近させ当接させる。このとき、光ファイバは、フェルールにおいて挿通方向にスライド可能な状態で保持されていると共にフェルールの後方で固定されているため、突出した部分がフェルール内に押し込まれ、光ファイバには他の光ファイバを押す方向の力が付与される。したがって、光ファイバ同士が安定して接続される。
【０００７】
このような光ファイバ接続部材では、光ファイバと他の光ファイバとを着脱自在に接続させることができる。また、本発明の光ファイバ接続部材は、コネクタに比べ少ない部品点数で構成することができるため、低コスト化を図ることができる。更に、光ファイバ接続部材に予め光ファイバを取り付けた状態にしておくことにより、作業現場では光ファイバ同士を突き合わせて接続するだけの作業で済むため、作業性が大幅に向上する。
【０００８】
また、ハウジングは、固定部材により光ファイバをハウジングに固定した状態において、フェルールと固定部材との間に、光ファイバを撓ませるための空間を有しているのが好ましい。これにより、他の光ファイバに突き合わされた光ファイバを撓ませて付勢し、光ファイバに他の光ファイバを押す方向の力を付与することができる。
【０００９】
また、固定部材は、光ファイバを外被材で被覆してなる光ファイバケーブルを固定するようにしてもよい。これにより、より安定して光ファイバをハウジング内で固定することができる。
【００１０】
この場合、光ファイバと外被材とは接着されているのが好ましい。これにより、光ファイバに他の光ファイバを押す方向の力を安定して付与させることができる。
【００１１】
フェルールには、他の光ファイバを保持するフェルールが挿入される光ファイバ中心位置決め用のスリーブが備えられていることが好ましい。これにより、光ファイバ及び他の光ファイバの中心の調心が可能となる。
【００１２】
また、フェルールは、他の光ファイバを保持するフェルールに設けられたガイドピンまたはガイド孔に係合するガイド孔またはガイドピンを有していることが好ましい。これにより、単心の光ファイバのみならず多心の光ファイバであっても、ファイバ中心の調心が可能となる。
【００１３】
ハウジングには、他の光ファイバを保持するフェルールに固定されたハウジングと係止するための係止手段が設けられていることが好ましい。これにより、光ファイバに付与された他のファイバを押す方向の力を保持させることができる。
【００１４】
ハウジングには、他の光ファイバを保持するフェルールに固定されたハウジングとネジ止めにより連結可能な構造を有していることが好ましい。これにより、光ファイバに付与された他のファイバを押す方向の力を保持させることができる。
【００１５】
また、本発明の光ファイバ接続部材は、光ファイバと、光ファイバが挿通される挿通孔を有し、挿通孔に挿通された光ファイバを挿通方向にスライド可能な状態で保持するフェルールと、フェルールに固定され、挿通孔に挿通された光ファイバの一部を覆うハウジングと、フェルールの前端面から突出するように挿通孔に挿通された光ファイバを、フェルールの後方でハウジングに固定する固定部材とを備える。
【００１６】
このような光ファイバ接続部材によれば、光ファイバが、フェルールにおいて挿通方向にスライド可能な状態で保持されていると共にフェルールの後方で固定されているため、突出した部分がフェルール内に押し込まれ、光ファイバには他の光ファイバを押す方向の力が付与される。したがって、光ファイバ同士が安定して接続される。また、光ファイバと他の光ファイバとを着脱自在に接続させることができる。更に、コネクタに比べ、少ない部品点数で構成することができるため、低コスト化を図ることができる。更に、作業現場で行う作業は、光ファイバ同士を突き合わせて接続する作業だけであるため、作業性が大幅に向上される。
【００１７】
フェルールの前端面から突出した光ファイバの先端部分の長さは、５ｍｍ以下であることが好ましい。これにより、光ファイバ及び他の光ファイバの先端面同士を突き合わせる際の作業性が向上する。
【００１８】
本発明の光ファイバ接続方法は、上記の光ファイバ接続部材を用意し、光ファイバを、フェルールの前端面から突出するようにフェルールの挿通孔に挿通するステップと、光ファイバを、フェルールの後方で固定部材によりハウジングに固定するステップと、光ファイバ及び他の光ファイバの先端面同士を突き当てるステップと、光ファイバ及び他の光ファイバの先端面同士を突き当てた状態で、光ファイバを保持するフェルール及び他の光ファイバを保持するフェルールの端面同士を当接させるステップと、を含むことを特徴とするものである。
【００１９】
このような接続方法によれば、光ファイバと他の光ファイバとを着脱自在に接続させることができる。また、上記の光ファイバ接続部材を用いているため、コネクタに比して少ない部品点数で構成することが可能となり、低コストで光ファイバを接続させることができる。更に、光ファイバ接続部材に予め光ファイバを取り付けた状態にしておくことにより、作業現場では光ファイバ同士を突き合わせて接続するだけの作業で済むため、作業性を大幅に向上させることができる。
【００２０】
この場合、光ファイバ及び他の光ファイバの先端同士を、屈折率整合剤を介して突き当てることが好ましい。これにより、光ファイバ及び他の光ファイバの突き合わされた先端面同士に生じた間隙を、屈折率を整合させた状態で埋めることができるため、光学特性を向上させることができる。
【発明の効果】
【００２１】
本発明によれば、着脱可能で低コストな光ファイバ接続部材及び光ファイバ接続方法を提供することができる。
【発明を実施するための最良の形態】
【００２２】
以下、添付図面を参照しながら、本発明の好適な実施形態について詳細に説明する。なお、図面の説明において、同一または相当要素には同一の符号を付し、重複する説明は省略する。
【００２３】
図１は、本発明に係る光ファイバ接続部材を備えた光モジュールを示す概略構成図である。同図において、光モジュール１は、屋外用光ファイバケーブル（ドロップケーブル）２と屋内用光ファイバケーブル（インドアケーブル）３とを接続する保安器であり、例えば家の壁に取り付けられるものである。ドロップケーブル２は、光ファイバ（図４参照）を被覆してなるものであり、インドアケーブル３は、光ファイバ（図４参照）を被覆してなるものである。
【００２４】
光モジュール１は筐体４を有し、この筐体４には、ドロップケーブル２及びインドアケーブル３を固定するためのケーブル固定部５が設けられている。また、筐体４内には、ドロップケーブル２の光ファイバとインドアケーブル３の光ファイバとを突き合わせて接続するための光ファイバ接続部材１０Ａ，１０Ｂが配置されている。
【００２５】
図２は、本発明の第１の実施形態に係る光ファイバ接続部材を示す斜視図である。本実施形態では、図２（ａ）に示す光ファイバ接続部材１０Ａと図２（ｂ）に示す光ファイバ接続部材１０Ｂとが連結されることにより、光ファイバの接続が行われる。
【００２６】
図２において、光ファイバ接続部材１０Ａ，１０Ｂは、両端が開口した略直方体形状を有するハウジング１１と、ハウジング１１内に固定され光ファイバを保持するフェルール１２とを有している。
【００２７】
ハウジング１１は、フェルール１２に保持された状態の光ファイバの一部を覆って保護する。ハウジング１１の上面には、光ファイバケーブル（ドロップケーブル２またはインドアケーブル３）をハウジング１１に固定するための固定部材１３が差し込まれる２つの固定用穴１４，１４が形成されている。固定部材１３は１対の脚部１５，１５を有し、各脚部１５の内側面には、光ファイバケーブルの外被材に食い込ませるための鬼目くさび（刃部）１６が設けられている。
【００２８】
また、ハウジング１１は、フェルール１２と固定部材１３との間に空間２１が設けられるようになっている。この空間２１は、詳細は後述するが、光ファイバを撓ませるための場所を確保するために設けられている。
【００２９】
更に、ハウジング１１には、光ファイバを接続した際に、光ファイバ接続部材１０Ａ，１０Ｂ同士を連結させるための係止部１９または該係止部１９が係止する係止受部２０のいずれか一方が設けられている。図２では、光ファイバ接続部材１０Ａに係止受部２０が設けられ、光ファイバ接続部材１０Ｂに係止部１９が設けられている。そして、係止部１９が係止受部２０に係止することによって光ファイバ接続部材１０Ａ，１０Ｂ同士が連結される。
【００３０】
フェルール１２は略円柱形状を有し、軸方向に沿って中央に形成され光ファイバが挿通される挿通孔１７を有している。この挿通孔１７は、挿通される光ファイバよりも若干大きい径に形成され、挿通された光ファイバが挿通方向にスライド可能な状態で保持されるようになっている。
【００３１】
また、光ファイバ接続部材１０Ａのフェルール１２には、Ｃ字状の断面を有する筒状の光ファイバ中心位置決め用のスリーブ１８が取り付けられている。断面Ｃ字状のスリーブは、拡開可能に割れた構造となっていることから、一般に「割りスリーブ」と称される。このようなスリーブ１８には、光ファイバの接続を行う際に、他方の光ファイバ接続部材１０Ｂのフェルール１２が挿入されるようになっている。これにより、光ファイバの中心の調心が可能となる。
【００３２】
図３は、上記光ファイバ接続部材１０Ａ，１０Ｂにそれぞれ光ファイバケーブルが装着された状態を示す斜視概略図である。同図において、光ファイバケーブル２２は、ハウジング１１に固定部材１３によって固定されている。そして、光ファイバケーブル２２の先端側では、外被材２４が剥離された光ファイバ２３となっており、該光ファイバ２３がフェルール１２の挿通孔１７内に挿通されている。このとき、光ファイバ２３の先端部は、クラッド上の被覆が除去された状態となっている。光ファイバ２３は、外被材２４で被覆された光ファイバケーブル２２の状態でハウジング１１に固定することにより、より安定してハウジング１１内に固定される。
【００３３】
フェルール１２の挿通孔１７に挿通された光ファイバ２３は、先端部分がフェルール１２の前端面から突出した状態となっている。そして、その状態で上述したように挿通方向にスライド可能に保持されている。フェルール１２の前端面から突出した光ファイバ２３の先端部分の長さは、光ファイバ２３，２３同士の突き合わせの作業性を考慮し、５ｍｍ以下とすることが望ましい。
【００３４】
次に、上記の光ファイバ接続部材１０Ａ，１０Ｂを用いた光ファイバの接続方法について図４〜図６を参照して説明する。
【００３５】
まず、図４に示すように、光ファイバ接続部材１０Ａ，１０Ｂのハウジング１１内に光ファイバケーブル２２を挿入し、外被材２４が剥離された光ファイバ２３をフェルール１２の前端面１２ａから突出するように挿通孔１７に挿通する。このとき、光ファイバの先端部は、光ファイバに傷を付けてカット（切断）されることにより劈開された端面となっている。
【００３６】
次に、図５に示すように、固定部材１３をハウジング１１の上面（図中、矢印Ａの方向）から押し込むことにより、光ファイバケーブル２２をフェルール１２の後方でハウジング１１に固定する。このとき、光ファイバ２３と外被材２４とは接着剤２５により接着されているため、光ファイバ２３も実質的にハウジング１１に固定されている状態となる。
【００３７】
続いて、図６に示すように、光ファイバ接続部材１０Ｂのフェルール１２を、光ファイバ接続部材１０Ａのフェルール１２に備えられたスリーブ１８内に挿入し、光ファイバ２３の先端面同士を突き当てる。このとき、光ファイバ２３，２３の突き合わされた先端面同士の間隙を埋め、光学特性を向上させるために、光ファイバ２３，２３の先端同士を、屈折率整合剤を介して突き当てるのが望ましい。
【００３８】
その後、フェルール１２，１２同士を更に接近させ、互いの端面同士が当接するまで光ファイバ接続部材１０Ｂのフェルール１２をスリーブ１８内に挿入する。このとき、光ファイバ２３は、フェルール１２の前端面から突出した先端部分が挿通孔１７内に押し込まれ、フェルール１２の後方へとスライドする。すると光ファイバ２３は、フェルール１２の後方でハウジング１１に固定されているため、空間２１において湾曲する（撓む）。これにより、光ファイバ２３が付勢され、突き合わされた接続相手の光ファイバ２３の先端面を押す方向の力が付与される。したがって、光ファイバ２３，２３同士の接続が安定した状態となる。このとき、光ファイバ接続部材１０Ａ，１０Ｂのハウジング１１，１１を、上述した係止部１９及び係止受部２０によって連結することにより、光ファイバ２３に付与された接続相手の光ファイバ２３の先端面を押す力を保持させて、光ファイバ２３，２３同士の安定した接続状態を維持させることができる。
【００３９】
以上のような本実施形態に係る光ファイバ接続部材１０Ａ，１０Ｂによれば、光ファイバ２３，２３を着脱自在に接続させることができる。また、コネクタに比べ少ない部品点数で構成することができるため、光ファイバ同士の接続を低コストで実現することができる。更に、光ファイバ接続部材１０Ａ，１０Ｂに予め光ファイバ２３を取り付けた状態にしておくことにより、作業現場では光ファイバ２３，２３同士を突き合わせて接続するだけの作業で済むため、作業性を大幅に向上させることができる。
【００４０】
図７は、上記第１の実施形態に係る光ファイバ接続部材の他の形態を示す斜視図である。図７に示す光ファイバ接続部材３０Ａ，３０Ｂでは、光ファイバを接続した際に光ファイバ接続部材同士を連結するための手段が上記光ファイバ接続部材３０Ａ，３０Ｂと異なっている。
【００４１】
光ファイバ接続部材３０Ａのハウジング１１には、ネジ止め用の穴３１が設けられており、光ファイバ接続部材３０Ｂのハウジング１１には、穴３１と共にネジが通される穴３２が設けられたネジ止め部３３が備えられている。これにより、ハウジング１１，１１同士をネジ止めして光ファイバ接続部材３０Ａ，３０Ｂの連結を維持させることができるため、光ファイバ２３に付与された接続相手の光ファイバ２３の先端面を押す力を保持させて、光ファイバ２３，２３同士の安定した接続状態を維持させることができる。
【００４２】
図８は、本発明の第２の実施形態に係る光ファイバ接続部材を示す斜視図である。本実施形態の光ファイバ接続部材では、光ファイバが保持されるフェルールの構造が、上記第１の実施形態に係る光ファイバ接続部材１０Ａ，１０Ｂと異なっている。本実施形態では、図８（ａ）に示す光ファイバ接続部材４０Ａと図２（ｂ）に示す光ファイバ接続部材４０Ｂとが連結されることにより、光ファイバの接続が行われる。
【００４３】
図８において、光ファイバ接続部材４０Ａのハウジング１１に固定されたフェルール４１には、光ファイバ接続部材４０Ｂのハウジング１１に固定されたフェルール４２に当接する前端面４１ａから後端面側に向かって延び、フェルール４２に設けられたガイドピン４４とほぼ同等の径をもった断面円形状の１対のガイド孔４３，４３が形成されている。各ガイド孔４３には、フェルール４２に設けられたガイドピン４４が挿入される。
【００４４】
また、フェルール４１におけるガイド孔４３，４３の間には、フェルール４１の前端面４１ａから後端面側に向かって各ガイド孔４３に対して平行に延び、光ファイバ２３が挿通される挿通孔４５が形成されている。また同様に、フェルール４２におけるガイドピン４４，４４の間にも、フェルール４２の前端面４２ａから後端面側に向かって各ガイドピン４４に対して平行に延び、光ファイバ２３が挿通される挿通孔４６が形成されている。
【００４５】
このような本実施形態に係る光ファイバ接続部材４０Ａ，４０Ｂによれば、ガイドピン４４またはガイド孔４３を有するフェルール４１，４２を備えているため、単心の光ファイバのみならず多心の光ファイバの接続に適用することができると共に、ファイバ中心の調心が可能となる。
【００４６】
なお、図８に示す光ファイバ接続部材４０Ａ及び光ファイバ接続部材４０Ｂは、係止部１９と係止受部２０とによって連結可能となっているが、図９に示す光ファイバ接続部材１０Ａ及び光ファイバ接続部材１０Ｂの様に、光ファイバ接続部材４０Ａ及び光ファイバ接続部材４０Ｂはネジ止めにより連結されるようになっていてもよい。これにより、ハウジング１１，１１同士をネジ止めして光ファイバ接続部材４０Ａ，４０Ｂの連結を維持させることができるため、光ファイバ２３，２３同士の接続を安定した状態に保つことができる。
【００４７】
以上、本発明の好適な実施形態について詳細に説明したが、本発明は上記実施形態に限定されるものではない。例えば、本発明に係る光ファイバ接続部材は、ＳＣコネクタ等を始めとする一般的に使用されている通常の光コネクタと接続させることも可能である。
【図面の簡単な説明】
【００４８】
【図１】本発明に係る光ファイバ接続部材を備えた光モジュールを示す概略構成図である。
【図２】本発明の第１の実施形態に係る光ファイバ接続部材を示す斜視図である。
【図３】図２に示す光ファイバ接続部材にそれぞれ光ファイバケーブルが装着された状態を示す斜視概略図である。
【図４】図２に示す光ファイバ接続部材を用いた光ファイバの接続方法を示す断面図である。
【図５】図２に示す光ファイバ接続部材を用いた光ファイバの接続方法を示す断面図である。
【図６】図２に示す光ファイバ接続部材を用いた光ファイバの接続方法を示す断面図である。
【図７】第１の実施形態に係る光ファイバ接続部材の他の形態を示す斜視図である。
【図８】本発明の第２の実施形態に係る光ファイバ接続部材を示す斜視図である。
【図９】第２の実施形態に係る光ファイバ接続部材の他の形態を示す斜視図である。
【符号の説明】
【００４９】
２…ドロップケーブル（光ファイバケーブル）、３…インドアケーブル（光ファイバケーブル）、１０Ａ，１０Ｂ…光ファイバ接続部材、１１…ハウジング、１２…フェルール、１３…固定部材、１７…挿通孔、１８…スリーブ、１９…係止部（係止手段）、２０…係止受部（係止手段）、２１…空間、２２…光ファイバケーブル、２３…光ファイバ、２４…外被材、３０Ａ，３０Ｂ…光ファイバ接続部材、４０Ａ，４０Ｂ…光ファイバ接続部材、４１，４２…フェルール、４３…ガイド孔、４４…ガイドピン、４５，４６…挿通孔。
【図１】
2005115285.tif 000003
【図２】
2005115285.tif 000004
【図３】
2005115285.tif 000005
【図４】
2005115285.tif 000006
【図５】
2005115285.tif 000007
【図６】
2005115285.tif 000008
【図７】
2005115285.tif 000009
【図８】
2005115285.tif 000010
【図９】
2005115285.tif 000011